(57)【要約】  電子機器は、筐体（４）と、電源部（１６）と、検出部（２０、７２）と、制御部（１４、９２）とを備える。電源部（１６）は、筐体（４）に装着されて筐体に収納状態または少なくとも発熱部（１７、４４）を筐体より露出状態にスライド可能に備えられる。検出部（２０、７２）は、電源部の収納状態または露出状態を検出する。制御部は、電源部に対する負荷（１２、６、８２、８６）を、検出部で検出した収納状態または露出状態により制御する。
2013150570.tif 000002
【特許請求の範囲】
【請求項１】
筐体と、
前記筐体に装着されて前記筐体に収納状態または少なくとも発熱部を前記筐体より露出状態にスライド可能な電源部と、
前記電源部の前記収納状態または前記露出状態を検出する検出部と、
前記電源部に対する負荷を、前記検出部で検出した前記収納状態または前記露出状態により制御する制御部と、
を備えることを特徴とする電子機器。
【請求項２】
前記負荷は、前記筐体に設置されるバッテリの充電に用いられる充電回路、または前記電源部によりまたは前記バッテリにより動作する動作部を含むことを特徴とする請求項１に記載の電子機器。
【請求項３】
さらに、前記負荷が基準値を超える場合、前記電源部を前記収納状態から前記露出状態に移行すべきことを告知する告知手段と、
を備えることを特徴とする請求項１に記載の電子機器。
【請求項４】
前記電源部は、前記収納状態または前記露出状態に応じてカレントリミット値を変更することを特徴とする請求項１に記載の電子機器。
【請求項５】
前記制御部は、前記収納状態または前記露出状態により前記充電回路の動作を制御することを特徴とする請求項２記載の電子機器。
【請求項６】
前記動作部は、情報を処理するＣＰＵを含み、
前記制御部は、前記ＣＰＵの動作速度を制御することを特徴とする請求項２記載の電子機器。
【請求項７】
前記動作部は、表示情報を表示する表示部を含み、
前記制御部は、前記表示部の明るさを制御することを特徴とする請求項２記載の電子機器。
【請求項８】
電子機器に着脱可能な電源装置であって、
前記電子機器に装着される筐体と、
前記筐体に収納状態または少なくとも発熱部を前記筐体より露出状態にスライド可能な電源部と、
を備えることを特徴とする電源装置。
【請求項９】
前記電源装置が前記筐体に前記収納状態であるかまたは前記露出状態であるかを検出する検出部を備えることを特徴とする請求項８に記載の電源装置。
【請求項１０】
筐体に装着されて前記筐体に収納状態または少なくとも発熱部を前記筐体より露出状態にスライド可能な電源部を設置し、
前記電源部の前記収納状態または前記露出状態を検出し、
前記電源部に対する負荷を、前記電源部の前記収納状態または前記露出状態に応じて制御する、
ことを特徴とする電子機器の電源制御方法。
【請求項１１】
前記負荷は、前記筐体に設置されるバッテリの充電に用いられる充電回路、または前記電源部によりまたは前記バッテリにより動作する動作部を含むことを特徴とする請求項１０に記載の電子機器の電源制御方法。
【請求項１２】
さらに、前記負荷が基準値を超える場合、前記電源部を前記収納状態から前記露出状態に移行すべきことを告知する、
ことを特徴とする請求項１０に記載の電子機器の電源制御方法。
【請求項１３】
さらに、前記収納状態または前記露出状態に応じてカレントリミット値を変更することを特徴とする請求項１０に記載の電子機器の電源制御方法。
【請求項１４】
前記負荷の制御は、前記収納状態または前記露出状態により前記充電回路の動作の制御を含むことを特徴とする請求項１１に記載の電子機器の電源制御方法。
【請求項１５】
前記動作部は、情報を処理するＣＰＵを含み、
前記負荷の制御は、前記ＣＰＵの動作速度を制御することを特徴とする請求項１１に記載の電子機器の電源制御方法。
【請求項１６】
前記動作部は、表示情報を表示する表示部を含み、
前記負荷の制御は、前記表示部の明るさを制御することを特徴とする請求項１１に記載の電子機器の電源制御方法。
【発明の詳細な説明】
【技術分野】
【０００１】
本発明は、電源にＡＣアダプタを用いるノートパソコンなどの電子機器、電源装置および電子機器の電源制御方法に関する。
【背景技術】
【０００２】
ノートパソコンなどの電子機器は、小型で軽量に形成され、携行に適している。この電子機器が外出先で使用される場合、電子機器に搭載しいているバッテリにより電子機器を動作させることが知られている（特許文献１、特許文献２及び特許文献３）。また、ＡＣアダプタを電子機器のベイに装着して、このＡＣアダプタを商用ＡＣ電源に接続して電子機器を動作させることが知られている（特許文献１及び特許文献２）。
【先行技術文献】
【特許文献】
【０００３】
【特許文献１】特開平１０−３０１６７２号公報
【特許文献２】特開２００７−２６４９１５号公報
【特許文献３】特開２０００−３５７０３０号公報
【発明の概要】
【発明が解決しようとする課題】
【０００４】
ところで、電源装置が電子機器の内部に搭載される場合には、電源装置が外側に配置される場合に比べて携行性に優れる。しかしながら、電源装置が電子機器の内部に搭載される場合には、電源装置が電子機器内の限られた空間内に配置され、電源装置が電子機器の内部で発熱するので、電子機器の動作に影響を与える。【０００５】
そこで、本開示の電子機器、電源装置および電子機器の電源制御方法の目的は、電源装置の放熱を促進することにある。【０００６】
本開示の電子機器、電源装置および電子機器の電源制御方法の他の目的は、電子機器の発熱を抑制することにある。
【課題を解決するための手段】
【０００７】
上記目的を達成するため、本開示の電子機器は、筐体と、電源部と、制御部と、検出部とを備える。電源部は、筐体に装着されて筐体に収納状態または少なくとも発熱部を筐体より露出状態にスライド可能に備えられる。検出部は、電源部の収納状態または露出状態を検出する。制御部は、電源部に対する負荷を、検出部で検出した収納状態または露出状態により制御する。
【発明の効果】
【０００８】
本開示の電子機器、電源装置および電子機器の電源制御方法によれば、次の効果が得られる。【０００９】
(1) 電源部に対する負荷を電源部の収納状態または露出状態により制御するので、電源装置の放熱が促進し、または、電源装置の発熱が抑制できる。【００１０】
そして、本発明の他の目的、特徴及び利点は、添付図面及び各実施の形態を参照することにより、一層明確になるであろう。
【図面の簡単な説明】
【００１１】
【図１】第１の実施の形態に係るノートパソコンの一例を示す図である。
【図２】電源制御の処理手順の一例を示すフローチャートである。
【図３】第２の実施の形態に係るノートパソコンの一例を示す図である。
【図４】電源部またはバッテリが電源装着ベイに装着される一例を示す図である。
【図５】電源部の発熱部が露出される一例を示す図である。
【図６】電源部および電源装着ベイの一例を示す図である。
【図７】ＡＣアダプタの一例を示す図である。
【図８】電源部が電源装着ベイに収納されている一例を示す図である。
【図９】電源部が電源装着ベイに収納され、電源部の発熱部が露出されている一例を示す図である。
【図１０】情報処理システムおよび電源システムの一例を示す図である。
【図１１】逆流防止回路の一例を示す図である。
【図１２】電源判定部の一例を示す図である。
【図１３】電源切替部の一例を示す図である。
【図１４】充電回路の一例を示す図である。
【図１５】電源システムの接続態様の例を示す図である。
【図１６】電源システムの第１の接続態様の一例を示す図である。
【図１７】電源システムの第２の接続態様の一例を示す図である。
【図１８】電源システムの第３の接続態様の一例を示す図である。
【図１９】電源システムの第４の接続態様の一例を示す図である。
【図２０】電源システムの第５の接続態様の一例を示す図である。
【図２１】第３の実施の形態に係る電源部および電源装着ベイの一例を示す図である。
【図２２】電源部が電源装着ベイに収納されている一例を示す図である。
【図２３】電源部が電源装着ベイに収納され、電源部の発熱部が露出されている一例を示す図である。
【図２４】電流制御部の一例を示す図である。
【図２５】電流制御部および抵抗部の一例を示す図である。
【図２６】ノートパソコンのハードウェアの一例を示す図である。
【図２７】電源切替部の一例を示す図である。
【図２８】警告を発生させる処理手順の一例を示すフローチャートである。
【図２９】表示による警告の一例を示す図である。
【図３０】他の実施の形態に係る情報処理システムおよび電源システムの一例を示す図である。
【図３１】他の実施の形態に係るＰＤＡの一例を示す図である。
【発明を実施するための形態】
【００１２】
〔第１の実施の形態〕
【００１３】
図１は、第１の実施の形態に係るノートパソコンの一例を示している。図１に示す構成は一例であり、斯かる構成に本開示の構成が限定されるものではない。
【００１４】
ノートパソコン（以下、「ＰＣ」と称する）２−１は、本開示の電子機器の一例である。このＰＣ２−１は、携行可能なパーソナルコンピュータであって、携行可能な筐体４を備える。この筐体４には、情報処理システム６および検出部２０が設置されるとともに、電源システムとして、電源装着ベイ８、バッテリ１０、充電回路１２および制御部１４が設置されている。
【００１５】
情報処理システム６は、ＣＰＵ（Central Processing Unit）、チップセットおよびメモリ等の情報処理に必要な回路を備えている。情報処理システム６は、例えば表示部１８に接続している。表示部１８は、文字や画像などの表示情報を表示し、たとえば、液晶ディスプレイや有機ＥＬ（Electro Luminescence）ディスプレイなどのディスプレイを備える。情報処理システム６、表示部１８および表示部１８の駆動回路は、電源部１６によりまたはバッテリ１０により動作する動作部の一例である。情報処理システム６、充電回路１２、表示部１８および表示部１８の駆動回路は、バッテリ１０または電源装着ベイ８に装着される電源部１６に対する負荷を構成する。
【００１６】
電源装着ベイ８は、電源部１６などの電源ユニットを収納する収納部の一例である。電源装着ベイ８は、電源ユニットを収納する専用ベイでもよいし、ＤＶＤ（Digital Versatile Disc）ユニット、ハードディスクユニットなどの他の機器ユニットを装着するベイを兼用してもよい。
【００１７】
バッテリ１０は、電源の一例であって、蓄積した電気を情報処理システム６に供給する。
【００１８】
充電回路１２は、バッテリ１０を充電する回路である。充電回路１２の動作は、制御部１４により切り替えられる。
【００１９】
電源部１６は、電源装置の一例であって、電源装着ベイ８に着脱可能に装着される。電源部１６は、電源部１６が筐体４内に収納されている収納状態、または電源部１６の発熱部１７が筐体４から露出した露出状態に配置される。電源部１６は、収納状態から露出状態に、または露出状態から収納状態にスライド可能である。なお、図１では、実線で表された電源部１６は、収納状態の電源部１６を表している。二点鎖線で表された電源部１６は、露出状態の電源部１６を表している。電源部１６に付された矢印は、電源部１６のスライドを表している。
【００２０】
検出部２０は、電源部１６の筐体４および電源装着ベイ８に対し収納状態または露出状態を検出する。たとえば、検出部２０は、電源部１６の進退を検出する。検出部２０は、電源部１６が筐体４および電源装着ベイ８に対し収納状態か露出状態かを表す検出信号を発生する。
【００２１】
制御部１４は、検出部２０から検出信号を受け、電源部１６に対する負荷を制御する。検出部２０が電源部１６の露出状態を表す検出信号を発生している場合、制御部１４は、通常制御出力を発生する。通常制御出力を受け、充電回路１２は動作状態に制御される。通常制御では、負荷に対する制限が行われない。
【００２２】
検出部２０が電源部１６の収納状態を表す検出信号を発生している場合、制御部１４は、省電力制御出力を発生する。省電力制御出力を受け、充電回路１２または情報処理システム６、または充電回路１２および情報処理システム６により、電源部１６に対する負荷が制限される。充電回路１２は、充電回路１２の動作を抑止する。また、情報処理システム６は、たとえばＣＰＵの動作クロックを低減し、表示部１８の発光光量を低減する。情報処理システム６は、ＣＰＵの動作クロックの低減又は表示部１８の発光光量の低減のいずれかを行ってもよい。
【００２３】
図２は電源制御の処理手順の一例を示している。図２に示す処理手順は一例であり、斯かる処理手順に本開示の処理手順が限定されるものではない。
【００２４】
この電源制御の処理手順は、電源部１６が電源装着ベイ８に装着された場合に行われる。電源部１６が電源装着ベイ８に装着されると、検出部２０は電源部１６の進退を検出する（ステップＳ１）。この検出結果は、検出信号として制御部１４に送信される。検出部２０からの検出信号を受け、制御部１４は、電源部１６が露出状態か否かを判断する（ステップＳ２）。
【００２５】
電源部１６が露出状態である場合（ステップＳ２のＹＥＳ）、制御部１４は、通常制御出力を発生する（ステップＳ３）。この場合、ＰＣ２−１は、通常に制御される。
【００２６】
電源部１６が露出状態にない場合（ステップＳ２のＮＯ）、電源部１６は収納状態であるので、制御部１４は、省電力制御出力を発生する（ステップＳ４）。この場合、ＰＣ２−１は、電源部１６の負荷が制限され、省電力に制御される。
【００２７】
電源部１６の進退は、繰り返し検出される。電源部１６の状態が変化すると、制御出力が他の制御出力に切り替わる。これにより、制御部１４は、電源部１６の状態に応じて、ＰＣ２−１の電源制御を切り替えることができる。
【００２８】
〔第２の実施の形態〕
【００２９】
図３および図４は、第２の実施の形態に係るＰＣを示している。
【００３０】
ＰＣ２−２の筐体４は、固定側筐体４−１と可動側筐体４−２を備える。可動側筐体４−２は、ヒンジ部２２により固定側筐体４−１に開閉可能に取り付けられている。可動側筐体４−２には、既述の表示部１８が設置されている。
【００３１】
固定側筐体４−１には、上面側にキーボード２６が設置され、キーボード２６の背面側には電源装着ベイ２８が形成されている。ＰＣ２−２では、固定側筐体４−１の上面側から見て右側中間部に電源装着ベイ２８が設置されている。電源装着ベイ２８は、既述の電源部１６またはバッテリ３０が着脱可能に装着される。
【００３２】
電源装着ベイ２８には、例えば、図４Ａに示すように電源部１６が装着される。また、電源装着ベイ２８には、例えば、図４Ｂに示すようにバッテリ３０が装着される。すなわち、電源装着ベイ２８は、固定側筐体４−１の内部に電源部１６またはバッテリ３０を収納する装着空間部である。装着された電源部１６またはバッテリ３０は、電源装着ベイ２８により防護される。
【００３３】
電源部１６は、一例としてＡＣアダプタで構成される。電源部１６は、アダプタ筐体３２と、アダプタスライド部３４とを備えている。すなわちアダプタ筐体３２とアダプタスライド部３４は電源部の一部を構成している。アダプタスライド部３４は、アダプタ筐体３２にスライド可能に設置されている。すなわち、電源部１６は、電源装着ベイ２８に装着されて、アダプタスライド部３４を収納状態に設定可能であり、またはアダプタスライド部３４をスライドさせて電源装着ベイ２８から露出状態に設定可能である。電源部１６は、図５に示すように電源装着ベイ２８に装着されて、アダプタスライド部３４の一部を露出状態に設定可能である。
【００３４】
図６は、電源部１６および電源装着ベイ２８の一例を示している。図６に示す構成は一例であって、斯かる構成に本開示の構成が限定されるものではない。図６に示す電源部１６では、電源部１６の内部構造を示すため、アダプタ筐体３２の外縁と、アダプタスライド部３４とが示されている。
【００３５】
アダプタスライド部３４は、アダプタ筐体３２に形成される収納空間部３５（図９）に収納される。アダプタスライド部３４の側面と、アダプタ筐体３２の内壁面との間には接触部３６、３８が設けられている。各接触部３６、３８は、例えば平坦面である。従って、各接触部３６、３８では、アダプタ筐体３２の内壁面にアダプタスライド部３４が接触し、アダプタスライド部３４のスライドを可能にしている。
【００３６】
アダプタ筐体３２は、接続コネクタ４２を備える。電源部１６を電源装着ベイ２８に接続すると、接続コネクタ４２が固定側筐体４−１の基板７０に設置されたベイコネクタ４０に接続し、電源部１６が固定側筐体４−１に接続する。
【００３７】
アダプタスライド部３４には、ＡＣアダプタ４４が搭載されている。このＡＣアダプタ４４は、ＡＣ−ＤＣ変換回路を備え、ＡＣ（交流）をＤＣ（直流）に変換する。ＡＣアダプタ４４は、図７に示すように、ＡＣを降圧するトランス４６、交流を脈流に整流する整流回路４８、脈流を安定化させて直流にする安定化回路５０を備えている。トランス４６、整流回路４８および安定化回路５０は、既述の発熱部１７を構成している。したがって、電源部１６は、この発熱部１７を固定側筐体４−１から露出できる程度のスライドストロークを備えていればよい。ＡＣアダプタ４４は、商用電源に接続されるＡＣ入力端子５４に、接続線５２を介して接続している。ＡＣ入力端子５４には、電源ケーブル５６（図６）が接続される。電源ケーブル５６を商用電源に接続することで、ＡＣ電流がＡＣアダプタ４４に供給される。ＡＣアダプタ４４は、接続線５８を介してＤＣ出力端子６０に接続され、ＤＣ出力端子６０からＤＣ電流を出力する。
【００３８】
ＤＣ出力端子６０は、電源ケーブル６２（図６）を介して接続コネクタ４２に接続される。この電源ケーブル６２は、例えば、螺旋構造等により、伸縮性を有している。電源ケーブル６２は、アダプタスライド部３４が最も露出した際に、接続コネクタ４２とＤＣ出力端子６０とを接続するのに十分な長さを有している。よって、アダプタスライド部３４が、固定筐体部４−１に収納状態の場合および固定筐体部４−１から露出させた露出状態の場合のいずれにおいても接続コネクタ４２とＤＣ出力端子６０との間の接続を維持する。
【００３９】
アダプタスライド部３４の発熱部１７が電源装着ベイ２８に対して収納状態にあるか、または露出状態にあるかを検出するため、磁石６４およびセンサ７２が設置される。磁石６４は、たとえばアダプタスライド部３４に設置され、センサ７２は、たとえばＰＣ２−２側の基板７０に設置される。センサ７２は、既述の検出部２０の一例であり、例えばＭＲセンサ（Magneto Resistive Sensor）で構成される。ＭＲセンサを用いれば、磁石６４の磁気が磁気抵抗効果を利用して検出できる。センサ７２の検出信号は、ＰＣ２−２において、電源制御に用いられる。
【００４０】
図８は、ベイコネクタ４０と、接続コネクタ４２を接続し、アダプタスライド部３４を固定側筐体４−１および電源装着ベイ２８に収納した状態を示している。ＡＣアダプタ４４、アダプタ筐体３２およびアダプタスライド部３４が固定側筐体４−１および電源装着ベイ２８に収納されている。
【００４１】
ベイコネクタ４０と接続コネクタ４２の接続により、商用電源から生成したＤＣ電源が、基板７０に供給可能になる。アダプタスライド部３４を固定側筐体４−１および電源装着ベイ２８に収納した状態では、磁石６４とセンサ７２が離間し、センサ７２は磁石６４の磁気を検知しない。この場合、センサ７２が出力する検出信号は、たとえばＬレベル（Low level）になる。このＬレベルの検出信号は、たとえば０［Ｖ］電圧に設定され、アダプタスライド部３４の状態が収納状態であることを表す。センサ７２の検出信号により、ＰＣ２−２は、アダプタスライド部３４が固定側筐体４−１および電源装着ベイ２８内に収納されていると認識する。
【００４２】
図９は、ベイコネクタ４０と、接続コネクタ４２を接続し、アダプタスライド部３４を固定側筐体４−１および電源装着ベイ２８から露出した状態を示している。アダプタスライド部３４のＡＣアダプタ４４がアダプタ筐体３２、固定側筐体４−１および電源装着ベイ２８から引き出されている。
【００４３】
アダプタスライド部３４を固定側筐体４−１および電源装着ベイ２８から露出した状態では、磁石６４とセンサ７２が近接して対向し、センサ７２が磁石６４を検知する。この場合、センサ７２が出力する検出信号は、たとえばＨレベル（High level）になる。このＨレベルの検出信号は、たとえば５［Ｖ］電圧に設定され、アダプタスライド部３４の状態が露出状態であることを表す。センサ７２の検出信号により、ＰＣ２−２は、アダプタスライド部３４が固定側筐体４−１および電源装着ベイ２８から引き出されて露出していると認識する。
【００４４】
図１０は、情報処理システム８２および電源システム８４の一例を示している。図１０に示す構成は一例であり、斯かる構成に本開示の構成が限定されるものではない。図１と同一部分には同一符号を付してある。情報処理システム８２および電源システム８４はＰＣ２−２のシステムの一例である。
【００４５】
情報処理システム８２は、動作部の一例であり、第１の実施の形態の情報処理システム６と同様であるのでその説明を省略する。
【００４６】
電源システム８４は、充電回路８６、逆流防止回路８８、電源判定部９０、電源切替部９２が含まれる。
【００４７】
充電回路８６は、充電回路１２の一例であり、バッテリ用コネクタ９４に接続されるバッテリ１０を充電する。また、充電回路８６は、ベイコネクタ４０に接続されるバッテリ３０（図１６）も充電する。充電回路８６は、電源切替部９２から出力される第４の切替出力により動作を切り替える。たとえば、第４の切替出力の電圧がＨレベルである場合、充電回路８６はＯＮの状態となり、動作状態になる。第４の切替出力の電圧がＬレベルである場合、充電回路８６はＯＦＦの状態となり、停止状態になる。バッテリ１０およびバッテリ３０を充電する時には、充電回路８６はＯＮの状態になり、充電を抑止する時には、充電回路８６はＯＦＦの状態になる。
【００４８】
逆流防止回路８８は、情報処理システム８２に供給する電気が電源システム８４に逆流するのを防止し、バッテリ１０から供給される電気が充電回路８６に逆流するのを防止する。ベイコネクタ４０から供給される電気が充電回路８６に逆流するのを防止する。
【００４９】
電源判定部９０は、ベイコネクタ４０の接続対象を電圧により判定する。電源判定部９０は、ベイコネクタ４０に電源部１６が接続されたのか、バッテリ３０が接続されたのかを判定する。電源部１６が接続された場合、電源判定部９０は、たとえば、Ｈレベルの検出信号を出力し、バッテリ３０が接続された場合、電源判定部９０は、たとえば、Ｌレベルの検出信号を出力する。Ｈレベルの検出信号は、たとえば５［Ｖ］電圧に設定され、電源部１６の接続を表し、Ｌレベルの検出信号は、たとえば０［Ｖ］電圧に設定され、バッテリ３０の接続を表す。これらの検出信号は第２の検出信号として電源切替部９２に出力される。
【００５０】
電源切替部９２は、制御部１４の一例であり、第１の検出信号、第２の検出信号およびセンサの検出信号を受け、各機能部に対する切替出力を発生する。各機能部として、電源システム８４には、電気を導通または遮断する３つのスイッチ１００、１０２、１０４および充電回路８６が設置される。電源切替部９２は、３つの検出信号を受け、４つの切替出力を発生させ、少なくとも４つの機能部を切り替える。第１の切替出力、第２の切替出力、第３の切替出力および第４の切替出力は、それぞれスイッチ１００、１０２、１０４および充電回路８６に出力される。電源切替部９２は、たとえば論理回路（Logic Circuit）により構成する。
【００５１】
第１の検出信号は、ＡＣアダプタ１８２（図１７）が電源用コネクタ９８に接続されているか否かを表す。電源切替部９２は、この第１の検出信号を接続検出部１０６から受信する。
【００５２】
接続検出部１０６は、ＡＣアダプタ１８２と電源用コネクタ９８の接続を検出する手段の一例であり、検出導線１０８を備える。検出導線１０８は、たとえば、ＡＣアダプタ１８２が電源用コネクタ９８に接続すると、ＡＣアダプタ１８２の負極側に接続するように設置されている。ＡＣアダプタ１８２が電源用コネクタ９８に未接続の場合には、検出導線１０８の先端は開放状態になる。この場合、接続検出部１０６は、たとえばＬレベルの検出信号を出力する。一方、ＡＣアダプタ１８２が電源用コネクタ９８に接続された場合には、検出導線１０８の先端はＡＣアダプタ１８２の負極を介して接地状態にされる。この場合、接続検出部１０６は、たとえばＨレベルの検出信号を出力する。Ｈレベルの検出信号は、たとえば５［Ｖ］電圧に設定され、ＡＣアダプタ１８２の接続を表し、Ｌレベルの検出信号は、たとえば０［Ｖ］電圧に設定され、ＡＣアダプタ１８２の未接続を表す。
【００５３】
第２の検出信号は、たとえば、電源判定部９０から得られる検出信号であって、ベイコネクタ４０に接続されている電源の種類を表す。電源部１６がベイコネクタ４０に接続された場合、第２の検出信号は、たとえば、Ｈレベルであり、バッテリ３０がベイコネクタ４０に接続された場合、第２の検出信号は、たとえば、Ｌレベルである。
【００５４】
センサの検出信号は、センサ７２から得られる検出信号であって、アダプタスライド部３４のＡＣアダプタ４４が収納されているか、または露出されているかを表す。ＡＣアダプタ４４が収納されている場合、センサ７２の検出信号は、Ｌレベルであり、露出している場合、センサの検出信号は、Ｈレベルである。
【００５５】
スイッチ１００は、電気の導通または遮断により、電源用コネクタ９８を充電回路８６の入力側および逆流防止回路８８に接続または非接続にする。スイッチ１００がＯＮである場合には、スイッチ１００は電気的に導通し、電源用コネクタ９８を充電回路８６および逆流防止回路８８に接続する。一方、スイッチ１００がＯＦＦである場合には、スイッチ１００は電気的に遮断し、電源用コネクタ９８を充電回路８６および逆流防止回路８８に非接続にする。すなわち、スイッチ１００は、電源用コネクタ９８および電源用コネクタ９８に接続されるＡＣアダプタ１８２をＰＣ２−２の電源システム８４に組込むためのスイッチでもある。ＡＣアダプタ１８２を電源システム８４に組込む場合には、スイッチ１００がＯＮにされ、システムから切り離す場合には、スイッチ１００がＯＦＦにされる。
【００５６】
スイッチ１０２は、電気の導通または遮断により、ベイコネクタ４０を充電回路８６の入力側および逆流防止回路８８に接続または非接続にする。スイッチ１０２がＯＮである場合には、スイッチ１０２は電気的に導通し、ベイコネクタ４０を充電回路８６および逆流防止回路８８に接続する。一方、スイッチ１０２がＯＦＦである場合には、スイッチ１０２は電気的に遮断し、ベイコネクタ４０を充電回路８６および逆流防止回路８８に非接続にする。すなわち、スイッチ１０２は、ベイコネクタ４０およびベイコネクタ４０に接続される電源部１６またはバッテリ３０をＰＣ２−２のシステムに組込むためのスイッチでもある。電源部１６をシステムに組込む場合には、スイッチ１０２がＯＮにされ、その他の場合には、スイッチ１０２がＯＦＦにされる。
【００５７】
スイッチ１０４は、電気の導通または遮断により、ベイコネクタ４０を逆流防止回路８８に接続または非接続にする。スイッチ１０４がＯＮである場合には、スイッチ１０４は電気的に導通し、ベイコネクタ４０を逆流防止回路８８に接続する。一方、スイッチ１０４がＯＦＦである場合には、スイッチ１０４は電気的に遮断し、ベイコネクタ４０を非接続にする。すなわち、スイッチ１０４は、ベイコネクタ４０およびベイコネクタ４０に接続される電源部１６またはバッテリ３０をＰＣ２−２のシステムに組込むためのスイッチでもある。バッテリ３０をシステムに組込む場合には、スイッチ１０４がＯＮにされ、その他の場合には、スイッチ１０４がＯＦＦにされる。
【００５８】
スイッチ１００、１０２、１０４には、たとえば電界効果トランジスタ（ＦＥＴ）やバイポーラトランジスタなどのトランジスタを用いることができる。トランジスタを用いると、汎用性の高い部品でスイッチを構成することができ、また少ない部品数でスイッチを構成することができる。また、スイッチ１００、１０２、１０４は、ダイオードのスイッチ特性を利用したダイオードスイッチなどで構成してもよい。
【００５９】
電源切替部９２から出力される第１の切替出力は、スイッチ１００に対する切替信号であって、スイッチ１００をＯＮまたはＯＦＦに切り替える。第２の切替出力は、スイッチ１０２に対する切替信号であって、スイッチ１０２をＯＮまたはＯＦＦに切り替える。第３の切替出力は、スイッチ１０４に対する切替信号であって、スイッチ１０４をＯＮまたはＯＦＦに切り替える。第４の切替出力は、充電回路８６に対する切替信号であって、充電回路８６をＯＮの状態またはＯＦＦの状態に切り替える。
【００６０】
図１１は、逆流防止回路の一例である。図１１に示す構成は一例であり、斯かる構成に本開示の構成が限定されるものではない。この逆流防止回路８８は、５つのダイオード１１１、１１２、１１３、１１４、１１５を備えている。ダイオード１１１を含む第１の線路１１６と、ダイオード１１２、１１３を含む第２の線路１１７と、ダイオード１１４、１１５を含む第３の線路１１８は、並列に接続されている。第１の線路１１６は、電源用コネクタ９８またはベイコネクタ４０に接続された電源部１６またはバッテリ３０からの電気を情報処理システム８２に供給する。第２の線路１１７は、バッテリ１０からの電気を情報処理システム８２に供給し、バッテリ１０に充電電流を供給する。第３の線路１１８は、ベイコネクタ４０に接続された電源部１６またはバッテリ３０からの電気を情報処理システム８２に供給し、ベイコネクタ４０に接続されたバッテリ３０に充電電流を供給する。ダイオードには、たとえば、ツェナーダイオードが用いられる。この逆流防止回路８８では、ツェナーダイオードのブレークダウン電圧が、電源システム８４を流れる電気の電圧よりも大きいダイオードが用いられる。これにより、各ダイオード１１１、１１２、１１３、１１４、１１５により電気の逆流が防止される。この逆流防止回路８８では、ダイオードを用いるので、汎用性の高い部品で斯かる回路を構成することができ、また少ない部品数で回路を構成することができる。
【００６１】
ダイオード１１１は、情報処理システム８２に供給される電気が、スイッチ１００、１０２および充電回路８６の入力側に逆流するのを防止する。
【００６２】
ダイオード１１２およびダイオード１１３は直列に接続し、第１のダイオード列を形成する。ダイオード１１４およびダイオード１１５は直列に接続し、第２のダイオード列を形成する。一方のダイオード列と他方のダイオード列は、並列に接続し、４つのダイオードを備えるダイオード回路を形成している。このダイオード回路の入力側には、充電回路８６の出力側が接続され、ダイオード回路の出力側には、情報処理システム８２が接続される。すなわち、充電回路８６から情報処理システム８２へ向かう方向が電気の流れる方向、つまり順流方向になる。よって、ダイオード回路は、電気がバッテリ１０、３０および充電回路８６の出力側に逆流するのを防止している。
【００６３】
ダイオード１１２とダイオード１１３の間にはバッテリ用コネクタ９４が接続されている。ダイオード１１２は、情報処理システム８２に供給される電気が、バッテリ用コネクタ９４および充電回路８６に逆流するのを防止している。ダイオード１１３は、バッテリ用コネクタ９４から出力される電気が、充電回路８６に逆流するのを防止している。
【００６４】
ダイオード１１４とダイオード１１５の間にはスイッチ１０４が接続されている。ダイオード１１４は、情報処理システム８２に供給される電気が、スイッチ１０４および充電回路８６に逆流するのを防止している。ダイオード１１５は、ベイコネクタ４０から出力される電気が、スイッチ１０４を介して情報処理システム８２に供給される場合に、充電回路８６に逆流するのを防止している。
【００６５】
ベイコネクタ４０に接続しているスイッチ１０４およびバッテリ用コネクタ９４はそれぞれ異なるダイオード列のダイオード間に接続されている。よって、これらのダイオード列が並列に接続されることにより、ダイオード回路は、スイッチ１０４とバッテリ用コネクタ９４との間を絶縁し、互いの電気の逆流を防止している。
【００６６】
図１２は、電源判定部９０の一例である。図１２に示す構成は一例であり、斯かる構成に本開示の構成が限定されるものではない。
【００６７】
この電源判定部９０は、たとえば判定回路であって、ベイコネクタ４０に接続されたデバイスがバッテリ３０であるか、ＡＣアダプタ等の電源部１６であるかを判別する。バッテリ３０と電源部１６では出力電圧が異なる。バッテリ３０の出力電圧は、たとえば１２［Ｖ］である。電源部１６の出力電圧はたとえば１９［Ｖ］である。この場合、電源判定部９０は、入力電圧を１２〜１９［Ｖ］の範囲で許容し、電圧の差から電源を判別する。
【００６８】
電源判定部９０は、定電圧回路１２２と、コンパレータ１２４と、分圧回路１２６を備える。
【００６９】
定電圧回路１２２の入力側端子Ｖｄｄおよびイネーブル端子ＥＮは、ベイコネクタ４０に接続し、たとえば１２〜１９［Ｖ］の範囲の電圧を受ける。この場合、定電圧回路１２２は、電圧を一定に調整し、出力側端子Ｖｏｕｔからたとえば５［Ｖ］の電圧を出力する。ベイコネクタ４０にバッテリ３０および電源部１６のいずれも接続されない場合、入力側端子Ｖｄｄおよびイネーブル端子ＥＮの電圧は、０［Ｖ］になる。この場合、定電圧回路１２２の動作が休止され、出力側端子Ｖｏｕｔの電圧は０［Ｖ］になる。定電圧回路１２２は、例えば、ＬＤＯ（Low Drop Out）レギュレータを用いて構成することができる。
【００７０】
定電圧回路１２２が出力した５［Ｖ］の電圧は、コンパレータ１２４の負側（−側）の入力端子に入力されるとともに、電源としてコンパレータ１２４のＶｃｃに入力される。一方、バッテリ３０または電源部１６の出力電圧は、分圧回路１２６により、たとえば３分の１の電圧に低下され、コンパレータ１２４の正側（＋側）の入力端子に入力される。電圧の低下により、正側の入力端子の電圧は、バッテリ３０の接続時には約４［Ｖ］であり、電源部１６の接続時には約６．３［Ｖ］になる。このような接続により、バッテリ３０の接続時にはＬレベルの検出信号が出力され、電源部１６の接続時にはＨレベルの検出信号が出力される。コンパレータ１２４の出力信号は、第２の検出信号として電源切替部９２に出力される。
【００７１】
分圧回路１２６は、直列に接続された２つの抵抗素子１２８、１３０を備える。抵抗素子１２８側の端部は、ベイコネクタ４０および定電圧回路１２２の入力側に接続され、抵抗素子１３０側の端部は、グランド１３２に接続される。たとえば、抵抗素子１２８の値をそれぞれＲ１＝２００［ｋΩ］、抵抗素子１３０の値をＲ２＝１００［ｋΩ］にすると、抵抗素子１３０の抵抗値が全抵抗値の３分の１であるので電圧が２：１に分圧される。そこで、コンパレータ１２４の正側の入力端子を抵抗素子１２８、１３０の間に接続することにより、分圧回路１２６は、ベイコネクタ４０側の電圧の３分の１の電圧をコンパレータ１２４の正側の入力端子に供給する。
【００７２】
図１３は、電源切替部９２の一例である。図１３に示す構成は一例であり、斯かる構成に本開示の構成が限定されるものではない。
【００７３】
この電源切替部９２は、バッファ１５２と、ＮＯＴ回路１５４、１５８と、ＡＮＤ回路１５６、１６０、とＯＲ回路１６２を用いた論理回路により構成している。論理回路を用いて電源切替部９２を形成すると、電源切替部９２が容易に形成でき、信号が高速で処理できる。ＮＯＴ回路１５４、１５８は否定回路の一例であり、ＡＮＤ回路１５６、１６０は論理積回路の一例であり、ＯＲ回路１６２は論理和回路の一例である。
【００７４】
第１の切替出力は、バッファ１５２を用いて第１の検出信号から生成される。第１の切替出力は、バッファ１５２を介して第１の検出信号を出力することで得られる。
【００７５】
第２の切替出力は、ＮＯＴ回路１５４およびＡＮＤ回路１５６を用いて第１の検出信号および第２の検出信号から生成される。ＮＯＴ回路１５４は、第１の検出信号を受け、第１の検出信号を反転して出力する。ＡＮＤ回路１５６は、ＮＯＴ回路１５４から第１の検出信号を反転した出力と、第２の検出信号とを受け、これらの論理積を出力する。ＡＮＤ回路１５６の出力が第２の切替出力に用いられる。
【００７６】
第３の切替出力は、ＮＯＴ回路１５８を用いて第２の検出信号から生成される。ＮＯＴ回路１５８は、第２の検出信号を受け、第２の検出信号を反転して出力する。ＮＯＴ回路１５８の出力が、第３の切替出力に用いられる。
【００７７】
第４の切替出力は、ＡＮＤ回路１６０およびＯＲ回路１６２を用いて第１の検出信号、第２の検出信号およびセンサ７２の検出信号から生成される。ＡＮＤ回路１６０は、第２の検出信号と、センサ７２の検出信号を受け、これらの論理積を出力する。ＯＲ回路１６２は、第１の検出信号とＡＮＤ回路１６０が出力する論理積を受け、これらの論理和を出力する。ＯＲ回路１６２の出力が第４の切替出力に用いられる。
【００７８】
図１４は、充電回路の一例である。図１４に示す構成は一例であり、斯かる構成に本開示の構成が限定されるものではない。
【００７９】
この充電回路８６は、充電用ＩＣ（Integrated Circuit）１６４を含む。充電用ＩＣ１６４には、充電制御部等のＩＣ化可能な回路部が集積化されている。この充電用ＩＣ１６４の外部回路として、たとえばＰＭＯＳ（Positive channel Metal Oxide Semiconductor）トランジスタ１６６、ダイオード１６８およびセンス抵抗１７０が設置される。トランジスタ１６６は、充電制御素子の一例であり、ダイオード１６８は逆流防止素子の一例である。ＰＭＯＳトランジスタ１６６、ダイオード１６８およびセンス抵抗１７０は、直列に接続され、たとえば、充電電流を流す充電経路を形成する。センス抵抗１７０は、充電経路に流れる充電電流を電圧に変換して検出し、この検出電圧は制御情報として充電用ＩＣ１６４に加えられる。充電用ＩＣ１６４により得られる制御出力は、ＰＭＯＳトランジスタ１６６のゲートに加えられ、定電流制御又は定電圧制御が実行される。
【００８０】
充電回路８６は、スイッチ１７１を含む。スイッチ１７１は、第４の切替出力を受け、充電回路８６を電源側の回路に接続し、または非接続にする。スイッチ１７１がＯＮであり、スイッチ１７１が電気的に導通すると、充電回路８６は動作状態になる。一方、スイッチ１７１がＯＦＦであり、スイッチ１７１が電気的に遮断されると、充電回路８６は停止状態になる。
【００８１】
図１５は、電源システムの接続態様の例である。図１５において、ＨはＨレベルを表し、ＬはＬレベルを表す。
【００８２】
第１の接続態様１７２では、ＡＣアダプタ１８２（図１７）が電源用コネクタ９８に未接続であり、バッテリ３０がベイコネクタ４０に接続される。この場合、バッテリ１０もしくはバッテリ３０、またはバッテリ１０およびバッテリ３０の両方から情報処理システム８２および電源システム８４に放電が可能である。第１の接続態様１７２では、第１の検出信号はＬレベルになり、第２の検出信号はＬレベルになる。この場合、電源切替部９２は、第１および第２の検出信号により、第１、第２、第３および第４の切替出力をそれぞれＬレベル、Ｌレベル、Ｈレベル及びＬレベルにする。これらの切替出力によりスイッチ１００、１０２がＯＦＦになり、スイッチ１００、１０２はＡＣアダプタ１８２およびバッテリ３０を電源システム８４に組み込まない。スイッチ１０４がＯＮになり、バッテリ３０を電源システム８４に組み込む。充電回路８６がＯＦＦになり、バッテリ１０、３０の充電が行なわれない。第１の接続態様１７２では、スイッチ１００、１０２、１０４および充電回路８６のＯＮまたはＯＦＦは、センサの検出信号のレベルに関わりなく設定される。
【００８３】
第２の接続態様１７４では、ＡＣアダプタ１８２が電源用コネクタ９８に接続され、バッテリ３０がベイコネクタ４０に接続される。この場合、ＡＣアダプタ１８２から情報処理システム８２および電源システム８４への放電が可能であるとともに、バッテリ１０、３０への充電が可能である。第２の接続態様１７４では、第１の検出信号はＨレベルになり、第２の検出信号はＬレベルになる。この場合、電源切替部９２は、第１および第２の検出信号により、第１、第２、第３および第４の切替出力をそれぞれＨレベル、Ｌレベル、Ｈレベル及びＨレベルにする。これら切替出力によりスイッチ１００がＯＮになり、ＡＣアダプタ１８２を電源システム８４に組み込む。スイッチ１０２がＯＦＦになり、バッテリ３０を電源システム８４に組み込まず、ＡＣアダプタ１８２が供給する電気の逆流を防止する。スイッチ１０４がＯＮになり、バッテリ３０を電源システム８４に組み込むとともにバッテリ３０の充電を可能にする。充電回路８６がＯＮになり、ＡＣアダプタ１８２の電気によりバッテリ１０、３０の充電を可能にする。第２の接続態様１７４では、スイッチ１００、１０２、１０４および充電回路８６のＯＮまたはＯＦＦは、センサ検出信号のレベルに関わりなく設定される。
【００８４】
第３の接続態様１７６では、ＡＣアダプタ１８２が電源用コネクタ９８に接続されるとともに、電源部１６がベイコネクタ４０に接続される。この場合、ベイコネクタ４０に電源部１６が接続されていても、ＡＣアダプタ１８２から情報処理システム８２および電源システム８４に放電が行われ、ＡＣアダプタ１８２の電気によりバッテリ１０の充電が行われる。すなわち、ＡＣアダプタ１８２が電源部１６よりも優先して電源システム８４に接続されるようにスイッチが切り替えられる。第３の接続態様１７６では、第１および第２の検出信号はＨレベルになる。この場合、電源切替部９２は、第１および第２の検出信号により、第１、第２、第３および第４の切替出力をそれぞれＨレベル、Ｌレベル、ＬレベルおよびＨレベルにする。これらの切替出力によりスイッチ１００がＯＮになり、ＡＣアダプタ１８２を電源システム８４に組み込む。スイッチ１０２がＯＦＦになり、電源部１６を電源システム８４に組み込まず、ＡＣアダプタ１８２が供給する電気の逆流を防止する。スイッチ１０４がＯＦＦになり、電源部１６を電源システム８４に組み込まず、充電回路８６からの電気がベイコネクタ４０に逆流するのを防止する。充電回路８６がＯＮになり、充電回路８６がＡＣアダプタ１８２の電気によりバッテリ１０の充電を可能にする。第３の接続態様１７６では、スイッチ１００、１０２、１０４および充電回路８６のＯＮまたはＯＦＦは、センサ検出信号のレベルに関わりなく設定される。
【００８５】
第４の接続態様１７８では、ＡＣアダプタ１８２が電源用コネクタ９８に未接続であり、電源部１６がベイコネクタ４０に接続される。また、電源部１６のＡＣアダプタ４４は、アダプタ筐体３２内に収納され、電源装着ベイ２８および固定側筐体４−１の内部に収納されている。この場合、電源部１６から情報処理システム８２への放電のみが可能にされ、バッテリ１０への充電が停止される。すなわち、電源システム８４が省電力設定に移行し、ＡＣアダプタ４４が電源装着ベイ２８および固定側筐体４−１の内部で発熱するのを抑制する。省電力設定への移行により、電源部１６の発熱がＰＣ２−２本体の動作に悪影響を及ぼすのが防止される。第４の接続態様１７８では、第１の検出信号はＬレベルになり、第２の検出信号はＨレベルになり、第３の検出信号はＬレベルになる。この場合、電源切替部９２は、これらの検出信号により、第１、第２、第３および第４の切替出力をそれぞれＬレベル、Ｈレベル、ＬレベルおよびＬレベルにする。この第４の切替出力は、既述の省電力制御出力の一例である。この切替出力によりスイッチ１００、１０４がＯＦＦになる。スイッチ１０２がＯＮになり、電源部１６を電源システム８４に組み込む。充電回路８６がＯＦＦになり、充電回路８６はバッテリ１０の充電を行わない。
【００８６】
第５の接続態様１８０では、ＡＣアダプタ１８２が電源用コネクタ９８に未接続であり、電源部１６がベイコネクタ４０に接続される。また、電源部１６のＡＣアダプタ４４は、アダプタ筐体３２から露出し、電源装着ベイ２８および固定側筐体４−１から露出している。この場合、電源部１６から情報処理システム８２への放電が行われるとともに、バッテリ１０への充電が行なわれる。ＡＣアダプタ４４が露出状態にあるのでＡＣアダプタ４４の発熱が筐体４の外部に放出され、電源部１６の発熱がＰＣ２−２本体の動作に悪影響を及ぼすのが防止される。ＡＣアダプタ４４は、能力的に最大の電力を出力することができ、電源システム８４は通常電力設定に移行する。第５の接続態様１８０では、第１の検出信号はＬレベルになり、第２の検出信号はＨレベルになり、第３の検出信号はＨレベルになる。この場合、電源切替部９２は、これらの検出信号により、第１、第２、第３および第４の切替出力をそれぞれＬレベル、Ｈレベル、ＬレベルおよびＨレベルにする。この第４の切替出力は、既述の通常制御出力の一例である。この切替出力により、スイッチ１００、１０４がＯＦＦになる。スイッチ１０２がＯＮになり、電源部１６を電源システム８４に組み込む。充電回路８６がＯＮになり、充電回路８６は、バッテリ１０の充電を行なう。
【００８７】
図１６から図２０に示す電源システムおよび情報処理システムは、それぞれ既述の第１から第５の接続形態１７２、１７４、１７６、１７８、１８０の一例を示している。図１６から図２０に示す電源システム８４では、図１１に示す逆流防止回路８８を用いている。図１０および図１１と同一部分には同一符号を付してある。各図において、太線は、線の端部に図示されている要素、たとえばコネクタ、スイッチ、電源、ダイオード、回路またはシステムなどの間で電気が流れることを表している。各図において、細線は線の端部に図示されている要素の間で電気が流れていないことまたは実質的に流れていないことを表している。なお、電源判定部９０へ流れる微量電流については、細線にて表している。
【００８８】
図１６に示す第１の接続態様１７２では、バッテリ３０がベイコネクタ４０に接続される。
【００８９】
ダイオード１１２は、バッテリ用コネクタ９４に接続されているバッテリ１０の電気を導通させ、情報処理システム８２に供給する。一方、ダイオード１１３は、バッテリ１０の電気が充電回路８６に逆流するのを防止する。
【００９０】
スイッチ１０４およびダイオード１１４は、ベイコネクタ４０に接続されているバッテリ３０の電気を導通させ、情報処理システム８２に供給する。一方、ダイオード１１５は、バッテリ３０の電気が充電回路８６に逆流するのを防止する。
【００９１】
ダイオード１１１は、バッテリ１０およびバッテリ３０の電気が、スイッチ１００、１０２および充電回路８６に逆流するのを防止する。スイッチ１０２は、バッテリ３０の電気を遮断し、バッテリ３０の電気がスイッチ１０２を介して情報処理システム８２、充電回路８６へ流れるのを防止する。
【００９２】
図１７に示す第２の接続態様１７４では、ＡＣアダプタ１８２が電源用コネクタ９８に接続され、バッテリ３０がベイコネクタ４０に接続される。
【００９３】
スイッチ１００は、電源用コネクタ９８に接続されているＡＣアダプタ１８２の電気を導通させ、充電回路８６およびダイオード１１１に供給する。ダイオード１１１は、スイッチ１００からの電気を導通させ、情報処理システム８２に供給する。一方、スイッチ１０２は、スイッチ１００からの電気を遮断し、ベイコネクタ４０に逆流するのを防止する。
【００９４】
充電回路８６に供給された電気は、充電回路８６を介してバッテリ１０およびバッテリ３０に供給される。この場合、ダイオード１１３は、充電回路８６から電気を受け、この電気を導通させてバッテリ１０に供給する。また、ダイオード１１５およびスイッチ１０４は、充電回路８６から電気を受け、この電気を導通させてバッテリ３０に供給する。
【００９５】
充電回路８６に供給された電気は、ダイオード１１２、１１４に供給される。しかしながら、ダイオード１１２、１１４の充電回路８６側電圧Ｖ１［Ｖ］は、充電回路８６の抵抗Ｒｃおよびダイオード１１３、１１５の抵抗Ｒｄにより電圧ΔＶ１［Ｖ］降下する。一方、ダイオード１１２、１１４の情報処理システム８２側電圧Ｖ２［Ｖ］は、ダイオード１１１の抵抗Ｒｄにより電圧ΔＶ２［Ｖ］降下する。スイッチ１００からの電気の電圧がたとえば１９［Ｖ］である場合、電圧Ｖ１［Ｖ］は、１９−ΔＶ１［Ｖ］となり、電圧Ｖ２［Ｖ］は、１９−ΔＶ２［Ｖ］となる。電圧ΔＶ１［Ｖ］は電圧ΔＶ２［Ｖ］より大きいので、電圧Ｖ１［Ｖ］は電圧Ｖ２［Ｖ］よりも低くなる。このため、ダイオード１１２、１１４は順方向に電気を流すことができない。
【００９６】
図１８に示す第３の接続態様１７６では、ＡＣアダプタ１８２が電源用コネクタ９８に接続されるとともに、電源部１６がベイコネクタ４０に接続される。図１８に示す電源部１６のＡＣアダプタ４４はアダプタ筐体３２の内部に収納されているが、ＡＣアダプタ４４はアダプタ筐体３２から露出し、電源装着ベイ２８および固定側筐体４−１から露出していてもよい。
【００９７】
第３の接続態様１７６では、電源部１６がベイコネクタ４０に接続され、スイッチ１０４がＯＦＦである。このため、スイッチ１０４は、充電回路８６からの電気を遮断し、電気が電源部１６に流れるのを防止する。その他の接続態様は、第２の接続態様１７４と同様であるのでその説明を省略する。
【００９８】
図１９に示す第４の接続態様１７８では、ＡＣアダプタ１８２が電源用コネクタ９８に未接続であり、電源部１６がベイコネクタ４０に接続される。また、電源部１６のＡＣアダプタ４４は、アダプタ筐体３２内に収納されている。
【００９９】
スイッチ１０２は、ベイコネクタ４０に接続された電源部１６の電気を導通させ、スイッチ１００、ダイオード１１１および充電回路８６に供給する。ダイオード１１１はスイッチ１０２からの電気を導通させ、情報処理システム８２に供給する。一方、スイッチ１００は、スイッチ１０２からの電気を遮断し、電気が電源用コネクタ９８に逆流するのを防止する。また、スイッチ１０４は、電源部１６の電気を遮断し、電源部１６の電気がスイッチ１０４を介して情報処理システム８２に流れるのを防止する。
【０１００】
ダイオード１１２は、ダイオード１１１が供給した電気がバッテリ１０および充電回路８６に逆流するのを防止する。ダイオード１１４は、ダイオード１１１が供給した電気が電源部１６および充電回路８６に逆流するのを防止する。
【０１０１】
充電回路８６はＯＦＦにされるので、充電回路８６に供給される電気を遮断し、バッテリ１０への電気の供給を抑止する。この結果、消費電力が抑制される。
【０１０２】
図２０に示す第５の接続態様１８０では、ＡＣアダプタ１８２が電源用コネクタ９８に未接続であり、電源部１６がベイコネクタ４０に接続される。また、ＡＣアダプタ４４は、アダプタ筐体３２から露出し、電源装着ベイ２８および固定側筐体４−１から露出している。このため、第４の接続態様１７８（図１９）とは異なり、充電回路８６がＯＮにされる。この結果、充電回路８６は、電源部１６の電気をバッテリ１０に供給する。電源部１６は、情報処理システム８２に電気を供給し、バッテリ１０に電気を供給する。ＡＣアダプタ４４が発生する熱が露出したＡＣアダプタ４４から固定側筐体４−１の外部に放出されるので、ＰＣ２−２の動作の安定性が維持され、ＰＣ２−２の発熱が抑制される。
【０１０３】
充電回路８６に供給された電気は、ダイオード１１２、１１４に供給される。しかしながら、充電回路８６およびダイオード１１３、１１５の内部抵抗により、ダイオード１１２、１１４の充電回路８６側の電圧Ｖ１〔Ｖ〕が情報処理システム８２側の電圧Ｖ２〔Ｖ〕よりも低くなる。このため、ダイオード１１２、１１４は順方向に電気を流すことができない。その他の接続態様は、第４の接続態様１７８（図１９）と同様であるのでその説明を省略する。
【０１０４】
電源部１６は、電源部１６の発熱部１７としてたとえば、ＡＣアダプタ４４をスライドさせて電源装着ベイ２８およびＰＣ２−２の筐体４から露出させる。この発熱部１７が電源装着ベイ２８およびＰＣ２−２の筐体４から露出した状態であっても、電源部１６は、電源として使用可能である。ＡＣアダプタ４４を備えるアダプタスライド部３４が電源装着ベイ２８の内部に収納された場合、電源部１６は、省電力設定に移行する。省電力設定への移行により、ＰＣ２−２の電源装着ベイ２８の内部において、ＡＣアダプタ４４の発熱が抑制できる。電源部１６は、電源装着ベイ２８に装着し携行することができ、ＰＣ２−２と別々に電源を携行する必要がない。よって、ＰＣ２−２自体の携行性が向上するとともに、電源部１６の実用性が向上する。
【０１０５】
〔第３の実施の形態〕
【０１０６】
第２の実施の形態では、ＡＣアダプタ４４を含むアダプタスライド部３４を収納した場合、ＰＣ２−２のシステムを省電力設定にした。電源部１６の発熱を抑制するため、省電力設定に加えて、電源部１６が電気の供給制限を行うようにしてもよい。電気の供給制限を行う場合、電流制御部２０２（図２４）を、たとえばＡＣアダプタ４４に配置する。この電流制御部２０２は、たとえばカレントリミット機能を有し、供給電流のリミット値、たとえば供給電流の供給限界を制御する。そして、アダプタスライド部３４が露出状態にあるか否かを電源部１６自身が認識し、この認識により、電流制御部２０２が供給電流のリミット値を制御する。省電力設定時に想定された以上の電力負荷がＡＣアダプタ４４にかかると、電流制御部２０２はＡＣアダプタ４４の動作を停止させ、必要以上の発熱を防止し、発煙および発火などのトラブルの発生を防止する。
【０１０７】
図２１は、電源部１６および電源装着ベイ２８の一例を示している。図６と同一部分には同一符号を付してある。
【０１０８】
電源部１６において、センサ１９２がアダプタ筐体３２に設置され、磁石１９４がアダプタスライド部３４に設置される。センサ１９２は、磁石１９４を検出し、ＡＣアダプタ４４の収納状態または露出状態を検出する。センサ１９２は、電源部側の検出部の一例であり、たとえば既述のＭＲセンサで構成する。センサ１９２は、磁石１９４の検出に応じて電源部側センサの検出信号を出力する。この電源部側センサの検出信号は、電源部１６において、カレントリミット値の変更に用いられる。
【０１０９】
図２２は、ベイコネクタ４０と、接続コネクタ４２を接続し、アダプタスライド部３４を固定側筐体４−１および電源装着ベイ２８に収納させた状態を示している。ＡＣアダプタ４４、アダプタ筐体３２およびアダプタスライド部３４が固定側筐体４−１および電源装着ベイ２８に収納されている。
【０１１０】
アダプタスライド部３４を電源装着ベイ２８および固定側筐体４−１に収納した状態では、磁石１９４とセンサ１９２が離間し、センサ１９２は磁石１９４を検知しない。この場合、センサ１９２が出力する検出信号は、たとえばＬレベルになる。このＬレベルの検出信号は、たとえば０［Ｖ］電圧に設定され、アダプタスライド部３４の状態が収納状態であることを表す。センサ１９２の検出信号により、電源部１６は、アダプタスライド部３４が固定側筐体４−１および電源装着ベイ２８内に収納されていると認識する。
【０１１１】
図２３は、ベイコネクタ４０と、接続コネクタ４２を接続し、アダプタスライド部３４を固定側筐体４−１および電源装着ベイ２８から露出した状態を示している。アダプタスライド部３４のＡＣアダプタ４４がアダプタ筐体３２、固定側筐体４−１および電源装着ベイ２８から引き出されている。
【０１１２】
アダプタスライド部３４が固定側筐体４−１および電源装着ベイ２８から露出した状態では、磁石１９４とセンサ１９２が近接して対向し、センサ１９２が磁石１９４を検知する。この場合、センサ１９２が出力する検出信号は、たとえばＨレベルになる。このＨレベルの検出信号は、たとえば５［Ｖ］電圧に設定され、アダプタスライド部３４の状態が露出状態であることを表す。センサ１９２の検出信号により、電源部１６は、アダプタスライド部３４が固定側筐体４−１および電源装着ベイ２８から引き出されて露出していると認識する。
【０１１３】
その他の構成は、第２の実施の形態と同様であるのでその説明を省略する。
【０１１４】
図２４は、電流制御部の一例である。図２４に示す構成は一例であり、斯かる構成に本開示の構成が限定されるものではない。この電流制御部２０２は、カレントリミットＩＣ（Integrated Circuit）２０４および抵抗部２０６を備え、たとえば供給電流の制御回路を構成する。電流制御部２０２は、たとえば、安定化回路５０（図７）とＤＣ出力端子６０（図７）の間に配置される。
【０１１５】
カレントリミットＩＣ２０４は、カレントリミット調整ピン２０８を備え、カレントリミット調整ピン２０８とグランド２１０との間に配置される抵抗部２０６の抵抗値に応じて、電流の限度を制御する。ＡＣアダプタ４４の収納又は露出の状態など、各種条件に応じて抵抗部２０６の抵抗値を変化させると、カレントリミットＩＣ２０４は、変化する抵抗値に応じてカレントリミットを実行する。カレントリミットＩＣ２０４は、入力電源端子Ｐｉｎから出力電源端子Ｐｏｕｔに流れるカレントリミットＩＣ２０４の電流にリミットを設定する。抵抗部２０６の抵抗値が大きくなるにつれて、カレントリミットＩＣ２０４は、電流値のリミットを大きくする。一方、抵抗値が小さくなるにつれて、カレントリミットＩＣ２０４は、電流値のリミットを小さくする。
【０１１６】
図２５は、電流制御部および抵抗部の一例である。図２５に示す構成は一例であり、斯かる構成に本開示の構成が限定されるものではない。
【０１１７】
抵抗部２０６は、ＦＥＴ（電界効果トランジスタ）２１２、２１４、抵抗素子２１６、２１８及びＮＯＴ回路２２０を備える。そして、抵抗部２０６は、既述の電源部側センサ１９２の検出信号を受信して抵抗値を変化させる。
【０１１８】
ＦＥＴ２１２は、スイッチの一例であって、ゲートに入力された信号のレベルに応じて、ＦＥＴ２１２のドレインとソースを導通し、またはドレインとソースの間を遮断する。ＦＥＴ２１２のドレインは、カレントリミット調整ピン２０８に接続し、ＦＥＴ２１２のソースは、抵抗素子２１６に接続している。
【０１１９】
ＦＥＴ２１４は、スイッチの一例であって、ゲートに入力された信号のレベルに応じて、ＦＥＴ２１４のドレインとソースを導通し、またはドレインとソースの間を遮断する。ＦＥＴ２１４のドレインは、カレントリミット調整ピン２０８に接続し、ＦＥＴ２１４のソースは、抵抗素子２１８に接続している。
【０１２０】
抵抗素子２１６、２１８は、それぞれ異なる定数の抵抗値を有している。抵抗素子２１６の一端はＦＥＴ２１２のソースに接続し、他端はグラウンド２１０に接続している。抵抗素子２１８の一端はＦＥＴ２１４のソースに接続し、他端はグラウンド２１０に接続している。
【０１２１】
電源部側センサ１９２の検出信号は、ＦＥＴ２１２のゲートと、ＮＯＴ回路２２０に入力される。ＮＯＴ回路２２０は、電源部側センサ１９２の検出信号をＨレベルからＬレベルに反転し、またはＬレベルからＨレベルに反転し、この反転した検出信号をＦＥＴ２１４のゲートに入力する。ＮＯＴ回路２２０の反転により、異なるレベルの検出信号が、ＦＥＴ２１２、２１４に入力される。よって、抵抗素子２１６、２１８の何れか一方が、カレントリミット調整ピン２０８に接続される。電源部側センサ１９２の検出信号に応じてカレントリミット調整ピン２０８に接続される抵抗素子が切り替えられ、ＡＣアダプタ４４の発熱部１７の露出、収納に応じてカレントリミットを制御できる。たとえば、電源部側センサ１９２の検出信号がＨレベルである場合、ＮＯＴ回路２２０で反転した検出信号はＬレベルとなる。この場合、たとえばＦＥＴ２１４のドレインとソースの間は未接続となる。一方、ＦＥＴ２１２のドレインとソースが接続するので、カレントリミット調整ピン２０８は抵抗素子２１６に接続される。電源部側センサ１９２の検出信号がＬレベルである場合、カレントリミット調整ピン２０８は抵抗素子２１８に接続される。抵抗素子２１６、２１８が異なる定数の抵抗値を有することで、抵抗部２０６の抵抗値を可変し、既述した電流制限機能を実行できる。
【０１２２】
〔第４の実施の形態〕
【０１２３】
第２の実施の形態および第３の実施の形態では、ＡＣアダプタ４４の収納または露出状態に応じて、充電回路８６をＯＮまたはＯＦＦに切り替えた。ノートパソコンが小型になると、ノートパソコンの容積が狭小化し、ＡＣアダプタを収納した場合の放熱設計が難しくなる。第４の実施の形態では、ＰＣ２−２が動作時であって、たとえば既述の第４の接続態様１７８（図１９）に遷移した場合、ＡＣアダプタ４４の発熱を更に抑えるようにする。発熱を更に抑えるため、情報処理システム８２は、ＰＣ２−２のＣＰＵ２２６（図２６）の動作クロックを減速させ、またはディスプレイなどの表示部１８を減光させる。この減速または減光により、情報処理システム８２がＡＣアダプタ４４に要求する電力量が低減される。
【０１２４】
図２６は、ＰＣ２−２のハードウェアの一例である。図２６に示す構成は一例であり、斯かる構成に本開示の構成が限定されるものではない。図１、図３および図１０と同一部分には同一符号を付してある。
【０１２５】
メモリ２２２は、高速なアクセスが可能な記憶媒体の一例であって、たとえばＲＡＭ（Random Access Memory）で構成する。メモリ２２２は、たとえば一時的なデータを高速に記憶し、または読み出すのに用いられる。
【０１２６】
ＣＰＵ２２６は、記憶部２２８に記憶されているＯＳ（Operating System）や、各種プログラムを実行する情報処理手段の一例である。ＣＰＵ２２６の情報処理速度は、ＰＣ２−２が発生させるクロック周波数に応じて変化する。クロック周波数が高い場合、ＣＰＵ２２６の情報処理速度は速くなる。
【０１２７】
表示部１８は、既述の実施の形態と同様であるのでその説明を省略する。
【０１２８】
記憶部２２８は、データを記憶する手段の一例であり、たとえば、ハードディスクまたはＲＯＭ（Read Only Memory）を含む。記憶部２２８は、ＯＳやＣＰＵ２２６が実行する各種プログラムおよび各種のデータを記憶する。なお、記憶部２２８は、ハードディスクおよびＲＯＭを含んでもよく、ハードディスクまたはＲＯＭの他にＲＡＭを含んでもよい。
【０１２９】
音声部２３０は、音声を出力する音声出力手段の一例であって、たとえばスピーカにより構成する。音声部２３０が出力する音声には、音声による警告が含まれる。なお、音声部２３０は、音声を受ける音声受入手段を含んでいてもよい。音声受入手段は、たとえばマイクにより構成する。
【０１３０】
通信部２３２は、外部との通信に用いられる。通信部２３２は、たとえばネットワークカードまたは入出力ポートを含み、たとえば有線でＬＡＮ（ローカルエリアネットワーク：Local Area Network）の接続に用いられる。また、通信部２３２はアンテナおよび通信モジュールを含み、セルラーネットワークやWi-Fiなどの無線通信に用いられる。
【０１３１】
入力部２３４は、操作に応じてデータを生成するデータ生成手段の一例であり、たとえば、キーボード２６、マウスまたはタッチパネルで構成する。
【０１３２】
表示部１８、記憶部２２８、音声部２３０、通信部２３２および入力部２３４は、ＰＣ２−２の周辺機器の一例である。
【０１３３】
ＢＩＯＳ（Basic Input/Output System）  ＲＯＭ２３６は、ＢＩＯＳを記憶する手段の一例であり、たとえばＲＯＭで構成する。ＢＩＯＳは、既述の周辺機器を制御するためのプログラムの一例である。
【０１３４】
チップセット２３８は、ＣＰＵ２２６との間で行われるデータの受信または送信を管理する手段の一例であり、たとえばＬＳＩ（Large Scale Integration）により構成される。チップセット２３８は、ＧＰＩＯ（General purpose Input/Output）コントローラ２４０を含む。ＧＰＩＯは、種々の用途に使用可能な入出力端子である。ＧＰＩＯコントローラ２４０は、ＧＰＩＯを制御する。
【０１３５】
メモリ２２２、ＣＰＵ２２６、ＢＩＯＳ  ＲＯＭ２３６およびチップセット２３８は、既述の情報処理システム８２の一例である。情報処理システム８２は、電源システム８４に接続している。電源システム８４は、情報処理システム８２および既述の周辺機器に電気を供給するとともに、ＣＰＵ２２６の動作クロックの減速または減速の解除に用いる切替出力を情報処理システム８２に供給する。
【０１３６】
ＣＰＵ２２６の動作クロックの減速は、たとえばＡＣアアダプタ１８２が電源用コネクタ９８に非接続であり、電源部１６がベイコネクタ４０に接続され、かつＡＣアダプタ４４が筐体４−１に収納状態にある場合に行われる。すなわち、第１の検出信号がＬレベルであり、第２の検出信号がＨレベルであり、かつセンサの検出信号がＬレベルである場合、たとえばＬレベルの切替出力が生成される。このＬレベルの切替出力は、省電力制御出力の一例であり、ＣＰＵ２２６の動作クロックを減速させ、省電力設定にすることを表す。上記検出信号以外の場合、たとえばＨレベルの切替出力が生成される。このＨレベルの切替出力は、通常制御出力の一例であり、ＣＰＵ２２６の動作クロックを通常のクロック速度にすることを表す。これらのＬレベルまたはＨレベルの切替出力は、ＣＰＵ２２６のクロックの速度を切り替えるための切替出力の一例であり、たとえば電源切替部９２が生成する。
【０１３７】
図２７は、電源切替部の一例である。図２７に示す構成は一例であり、斯かる構成に本開示の構成が限定されるものではない。なお、図１３と同一部分には同一符号を付してある。
【０１３８】
図２７に示す電源切替部９２は、図１３に示す電源切替部９２の回路構成に加え、ＮＯＴ回路２５２、２５４と、ＮＡＮＤ回路２５６とを備えている。電源切替部９２は、既述のＣＰＵ２２６の動作クロックの速度を切り替えるための切替出力として、第５の切替出力を生成して出力する。すなわち、電源切替部９２は第５の切替出力を出力してＣＰＵ２２６の動作クロックを制御する。
【０１３９】
第５の切替出力は、ＮＯＴ回路２５２、２５４と、ＮＡＮＤ回路２５６とを用いて、第１および第２の検出信号と、センサの検出信号から生成される。ＮＯＴ回路２５２は、第１の検出信号を受け、第１の検出信号を反転して出力する。ＮＯＴ回路２５４は、センサの検出信号を受け、センサの検出信号を反転して出力する。ＮＡＮＤ回路２５６は、ＮＯＴ回路２５２が出力する第１の検出信号を反転した信号と、第２の検出信号と、ＮＯＴ回路２５４が出力するセンサの検出信号を反転した信号とを受け、これらの論理積の否定値を出力する。これらの回路により、既述のＬレベルの切替出力およびＨレベルの切替出力が得られる。電源切替部９２は、３つの検出信号を受け、５つの切替出力を発生させ、少なくとも５つの機能部を切り替えることができる。第１から第４の切替出力については、第２の実施の形態と同様であるので、その説明を省略する。
【０１４０】
電源切替部９２が出力する第５の切替出力は、ＧＩＰＯコントローラ２４０を経由して、ＢＩＯＳ  ＲＯＭ２３６に格納されているＢＩＯＳに通知する。ＢＩＯＳは、第５の切替出力を受け、ＣＰＵ２２６の動作クロックを制御する。たとえば、ＢＩＯＳは、ＣＰＵ２２６のレジスタに設定されているクロックの設定値を切り替えて、このＣＰＵ２２６の動作クロックを変更する。
【０１４１】
第５の切替出力は、ＣＰＵ２２６の動作クロックの変更の他、たとえば表示部１８の輝度、たとえば明るさの変更に用いることができる。この場合、表示部１８の輝度は、たとえば、チップセット２３８のレジスタの設定値により制御する。そこで、たとえばＢＩＯＳが第５の切替出力を受け、チップセット２３８のレジスタの設定値を変更して、表示部１８の輝度を変更する。
【０１４２】
その他の構成は第２の実施の形態又は第３の実施の形態と同様であるので、その説明を省略する。
【０１４３】
〔第５の実施の形態〕
【０１４４】
第５の実施の形態では、ＡＣアダプタ４４が電源装着ベイ２８および固定側筐体４−１の内部に収納された場合であって電力消費が基準値を超える場合に、ＰＣ２−２は警告を発生する。たとえば、消費電力が大きいアプリケーションを起動する場合に、ＰＣ２−２は警告を発生する。警告には、たとえば表示部１８（図２６）または音声部２３０（図２６）などが用いられる。表示部１８および音声部２３０は、警告を告知する告知手段の一例である。その他の構成は既述の実施の形態と同様であるので、その説明を省略する。
【０１４５】
図２８は、警告を発生させる処理手順の一例である。この警告を発生させる処理手順は、たとえばＣＰＵ２２６が実行する。
【０１４６】
ＣＰＵ２２６がアプリケーションの起動の指示を受信すると（ステップＳ１０１）、ＣＰＵ２２６は、起動対象のアプリケーションの消費電力が基準値を超えるかを判断する。この基準値は、たとえばＡＣアダプタ４４が収納状態にある場合に一つのアプリケーションが使用可能な消費電力値である。この基準値は、たとえばＰＣ２−２の記憶部２２８またはメモリ２２２（図２６）に予め設定する。消費電力が基準値を超える場合には（ステップＳ１０２のＹｅｓ）、ＣＰＵ２２６は、この消費電力の大きいアプリケーションの起動作業を行ない（ステップＳ１０３）、検出信号の状況を確認する。この状況の確認は、たとえば第１の検出信号がＬレベル、第２の検出信号がＨレベル、かつ第３の検出信号がＬレベルであるかの確認である。検出信号がこの状況にある場合（ステップＳ１０４のＹｅｓ）、ＣＰＵ２２６はアプリケーションの起動を中止し、警告を発生し（ステップＳ１０６）、処理を終了する。その他の場合（ステップＳ１０４のＮｏ）、ＣＰＵ２２６はアプリケーションを正常起動し（ステップＳ１０５）、処理を終了する。検出信号の状況の確認は、たとえば、既述の第５の切替出力を用いて確認してもよい。ＣＰＵ２２６は、第５の切替出力がＬレベルの場合に、第１の検出信号がＬレベル、第２の検出信号がＨレベル、かつ第３の検出信号がＬレベルであると判断すれば良い。また、ＣＰＵ２２６は、第５の切替出力がＨレベルの場合に、その他の場合と判断すればよい。
【０１４７】
ＣＰＵ２２６が行う警告は、例えば、表示部１８への表示による警告、または音声部２３０からの警告音による警告などである。また、ＣＰＵ２２６が行う警告は、表示による警告および警告音による警告の両方であってもよい。
【０１４８】
図２９は、表示による警告の一例である。図２９に示す表示は一例であり、他の表示であってもよく、斯かる表示に本開示の表示が限定されるものではない。なお、図中「＊＊」は、アプリケーション名を表し、「ベイＡＣアダプタ」は、電源装着ベイ２８に接続されているＡＣアダプタ、たとえばＡＣアダプタ４４を表している。
【０１４９】
図２９に示す警告では、『アプリケーション「＊＊」を起動できません。ベイＡＣアダプタを露出させた状態で再度アプリケーション「＊＊」を起動させてください。』とのメッセージが表示部１８に表示される。
【０１５０】
音声による警告は、たとえば『アプリケーション「＊＊」を起動できません。ベイＡＣアダプタを露出させた状態で再度アプリケーション「＊＊」を起動させてください。』とのメッセージが音声部２３０から出力される。音声による警告は、たとえば、ブザー音を用いた警告ブザーであってもよい。
【０１５１】
表示による警告または音声による警告により、アプリケーションの起動中止をユーザに通知するとともに、ユーザに対しＡＣアダプタ４４の発熱部１７を露出させることが促せる。
【０１５２】
〔他の実施の形態〕
【０１５３】
(1) 上記実施の形態では、電源ケーブル６２は、伸縮性を有するケーブルにより構成したが、斯かる構成に限定されない。伸縮性を有さない電源ケーブル６２が、アダプタ筐体３２とアダプタスライド部３４の間の収納空間部３５に収納されるように構成することで、アダプタスライド部３４が所定のスライドストロークでスライドするようにできる。
【０１５４】
(2) 上記実施の形態では、ＡＣアダプタ１８２と電源部１６の両方が接続された場合、ＡＣアダプタ１８２を優先するように切り替えたが、斯かる構成に限定されない。電源部１６をＡＣアダプタ１８２より優先的するように切替えてもよい。このような構成は、ＡＣアダプタ１８２と電源部１６の両方が接続された場合、スイッチ１００をＯＦＦにして、スイッチ１０２をＯＮにすればよい。そして、アダプタスライド部３４が収納状態であるか露出状態であるかに応じて、充電回路８６をＯＮまたはＯＦＦにすればよい。
【０１５５】
(3) 上記実施の形態では、消費電力が大きいアプリケーションの起動の際に電源部１６の発熱部１７を露出させるように警告を表示したが、斯かる構成に限定されない。たとえば、情報処理システム８２と電源システム８４との間に情報処理システム８２に流れる電流を監視する監視部２５８（図３０）を設置する。この監視部２５８で検出した電流値が基準値を超える場合に情報処理システム８２が警告を発生するようにしてもよい。このように構成することで、たとえば複数のアプリケーションが起動されるなど、全体として消費電力が多くなる場合であっても警告を発生させることができる。
【０１５６】
(4) 上記実施の形態では、電源部１６の発熱部１７が収納状態である場合に省電力制御が行われたが、たとえばノートパソコンの消費電力が大きく、電源部１６の発熱部１７が露出状態であったとしても電流が不足する場合にも、省電力制御を行うようにしてもよい。
【０１５７】
(5) 上記実施の形態では、アダプタ筐体３２とアダプタスライド部３４とが平坦面で接触したが、斯かる構成に限定されない。たとえば、アダプタスライド部３４とアダプタ筐体３２を所定の間隔で離間させ、アダプタスライド部３４とアダプタ筐体３２の間にスライド手段を設置する。このスライド手段は、たとえばガイドレールと、このガイドレールに規制されて一方向に移動する移動部材とを含む。アダプタ筐体３２またはアダプタスライド部３４のいずれか一方にガイドレールを設置し、他方に移動部材を配置することでアダプタスライド部３４がスライド可能になる。
【０１５８】
(6)上記実施の形態では、センサ１９２がアダプタ筐体３２に設置され、磁石１９４がアダプタスライド部３４に設置される例を示したが斯かる構成に限定されない。センサ１９２と磁石１９４の配置を逆にし、磁石１９４をアダプタ筐体３２に設置し、センサ１９２をアダプタスライド部３４に設置してもよい。更に、センサ７２、１９２が磁石を兼ね備えるようにし、磁石６４、１９４が省略され、各センサ７２、１９２が他方のセンサを検出するように構成してもよい。この場合、たとえばセンサ１９２を図６に示す磁石６４の位置に設置する。それぞれのセンサが相手のセンサを検出することでＰＣ２−２及び電源部１６の双方でセンサの検出信号を得ることができる。磁石およびセンサの設置位置および設置個数は、様々な態様に変形可能である。
【０１５９】
(7) 上記実施の形態では、磁石６４がアダプタスライド部３４に設置され、センサ７２が基板７０に設置されたが、斯かる設置位置に限定されない。たとえば磁石６４をアダプタ筐体３２またはアダプタスライド部３４のいずれか一方に設置し、センサ７２を他方に設置してもよい。この場合、電源部１６がセンサ７２の検出信号を得ることになる。そこで、センサ７２の検出信号を通信手段によりＰＣ２−２側に送信するようにする。通信手段としては、ＰＣ２−２および電源部１６の回路配線を介した通信でもよく、Wi-Fiなどの無線ＬＡＮを介した通信でもよい。斯かる構成であっても電源切替部９２がセンサの検出信号を受信することができ、第１から第５の切替出力を出力することができる。
【０１６０】
(8) 上記実施の形態では、センサ１９２がアダプタ筐体３２に設置され、磁石１９４がアダプタスライド部３４に設置された。これに対し、センサ１９２および磁石１９４を設置せずに、たとえばセンサ７２の検出信号を既述の通信手段により電源部１６に送信するように構成してもよい。このように構成すると、センサ７２の検出信号ＰＣ２−２と電源部１６の両方で利用することができる。
【０１６１】
(9) 上記実施の形態では、アダプタスライド部３４の発熱部１７の収納又は露出の検出に、たとえば磁石とＭＲセンサを用いたが、斯かる構成に限定されない。たとえば、距離センサとして光センサや近接センサなどによりアダプタスライド部３４の移動を検出してもよい。
【０１６２】
(10) 上記実施の形態では、警告の告知に関し、ＣＰＵ２２６が消費電力の大きいアプリケーションの起動作業を行なった後に検出信号の状況を確認したが、斯かる構成に限定されない。たとえば、アプリケーションの起動作業を行う前に検出信号の状況を確認し、アプリケーションを起動可能な場合にアプリケーションを正常起動するようにしてもよい。斯かる構成にすることで、大きいアプリケーションの起動作業を行い、その後アプリケーションの起動作業を中止する処理を省略することができる。
【０１６３】
(11) 上記実施の形態では、第１の接続態様１７２から第５の接続態様１８０について例示したが、斯かる接続態様に限定されない。たとえば、ＡＣアダプタ４４を収納した電源部１６をベイコネクタ４０に接続した場合、スイッチ１０２をＯＦＦにし、スイッチ１０４をＯＮにして、スイッチ１０４を介して電気を供給してもよい。バッテリ３０をベイコネクタ４０に接続した場合、スイッチ１０２をＯＮにし、スイッチ１０４をＯＦＦにし、充電回路をＯＦＦにして、スイッチ１０２を介して電気を供給してもよい。このような接続態様を実行するように電源切替部９２の回路を構成すれば、情報処理システム８２への電気の供給を行うことができる。電源システム８４の接続態様およびこの接続態様を実行する電源切替部９２は、様々な変形や変更が可能である。
【０１６４】
(12) 上記実施の形態では、本開示の電子機器の一例としてノートパソコンを示したが、本開示の電子機器はノートパソコンに限定されない。ＡＣアダプタを収納することができる情報処理機器であればよい。たとえば、携帯情報端末（PDA: Personal Digital Assistat）、タブレットＰＣ、携帯電話およびカメラやビデオカメラなどの撮像機器であってもよい。
【０１６５】
図３１は、電子機器としてＰＤＡ１００２の一例を示す。ＰＤＡ１００２の筐体１００４には、表示部１０１８、操作キー１０２６が設置されている。表示部１０１８は、既述の表示部１８の機能を備えるほか、たとえばタッチパネルを含み、既述の入力部２３４（図２６）として機能する。ＰＤＡ１００２では、筐体１００４の上面側から見て上側中間部に電源装着ベイが設置され、電源部１０１６が装着される。電源部１０１６は、アダプタ筐体１０３２と、アダプタスライド部１０３４と、ＡＣアダプタ１０４４とを備えている。アダプタスライド部１０３４がアダプタ筐体１０３２に対してスライドし、ＡＣアダプタ１０４４が筐体１００４およびアダプタ筐体１０３２に収納され、または筐体１００４およびアダプタ筐体１０３２から露出する。ＰＤＡ１００２であっても本開示の構成による効果を得ることができる。
【０１６６】
以上述べたように、本発明の最も好ましい実施の形態等について説明したが、本発明は、上記記載に限定されるものではなく、請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【符号の説明】
【０１６７】
２−１、２−２  ＰＣ
４、１００４  筐体
６、８２  情報処理システム
８、２８  電源装着ベイ
１０、３０  バッテリ
１２、８６  充電回路
１４  制御部
１６、１０１６  電源部
１８、１０１８  表示部
２０  検出部
３２、１０３２  アダプタ筐体
３４、１０３４  アダプタスライド部
４４、１８２、１０４４  ＡＣアダプタ
７２、１９２  センサ
８４  電源システム
８８  逆流防止回路
９０  電源判定部
９２  電源切替部
１００、１０２、１０４、１７１  スイッチ
１０６  接続検出部
２０２  電流制御部
２２６  ＣＰＵ
２３０  音声部
２５８  監視部
１００２  ＰＤＡ
【図１】
2013150570.tif 000003
【図２】
2013150570.tif 000004
【図３】
2013150570.tif 000005
【図４】
2013150570.tif 000006
【図５】
2013150570.tif 000007
【図６】
2013150570.tif 000008
【図７】
2013150570.tif 000009
【図８】
2013150570.tif 000010
【図９】
2013150570.tif 000011
【図１０】
2013150570.tif 000012
【図１１】
2013150570.tif 000013
【図１２】
2013150570.tif 000014
【図１３】
2013150570.tif 000015
【図１４】
2013150570.tif 000016
【図１５】
2013150570.tif 000017
【図１６】
2013150570.tif 000018
【図１７】
2013150570.tif 000019
【図１８】
2013150570.tif 000020
【図１９】
2013150570.tif 000021
【図２０】
2013150570.tif 000022
【図２１】
2013150570.tif 000023
【図２２】
2013150570.tif 000024
【図２３】
2013150570.tif 000025
【図２４】
2013150570.tif 000026
【図２５】
2013150570.tif 000027
【図２６】
2013150570.tif 000028
【図２７】
2013150570.tif 000029
【図２８】
2013150570.tif 000030
【図２９】
2013150570.tif 000031
【図３０】
2013150570.tif 000032
【図３１】
2013150570.tif 000033
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
筐体と、
前記筐体に装着されて前記筐体に収納状態または少なくとも発熱部を前記筐体より露出状態にスライド可能な電源部と、
前記電源部の前記収納状態または前記露出状態を検出する検出部と、
前記電源部に対する負荷を、前記検出部で検出した前記収納状態または前記露出状態により制御する制御部と、
を備えることを特徴とする電子機器。
【請求項２】
前記負荷は、前記筐体に設置されるバッテリの充電に用いられる充電回路、または前記電源部によりまたは前記バッテリにより動作する動作部を含むことを特徴とする請求項１に記載の電子機器。
【請求項３】
さらに、前記負荷が基準値を超える場合、前記電源部を前記収納状態から前記露出状態に移行すべきことを告知する告知手段と、
を備えることを特徴とする請求項１に記載の電子機器。
【請求項４】
前記電源部は、前記収納状態または前記露出状態に応じてカレントリミット値を変更することを特徴とする請求項１に記載の電子機器。
【請求項５】
電子機器に着脱可能な電源装置であって、
前記電子機器に装着される筐体と、
前記筐体に収納状態または少なくとも発熱部を前記筐体より露出状態にスライド可能な電源部と、
を備えることを特徴とする電源装置。
【請求項６】
前記電源装置が前記筐体に前記収納状態であるかまたは前記露出状態であるかを検出する検出部を備えることを特徴とする請求項５に記載の電源装置。
【請求項７】
筐体に装着されて前記筐体に収納状態または少なくとも発熱部を前記筐体より露出状態にスライド可能な電源部を設置し、
前記電源部の前記収納状態または前記露出状態を検出し、
前記電源部に対する負荷を、前記電源部の前記収納状態または前記露出状態に応じて制御する、
ことを特徴とする電子機器の電源制御方法。
【国際調査報告】
2013150570.tif 000034
2013150570.tif 000035
2013150570.tif 000036